【手続補正書】
【提出日】平成22年2月12日(2010.2.12)
【手続補正１】
【補正対象書類名】特許請求の範囲
【補正対象項目名】全文
【補正方法】変更
【補正の内容】
【特許請求の範囲】
【請求項１】
着座者の身体を支える支持面を構成するメッシュあるいはフィルム若しくは布地等の膜状部材と前記膜状部材の周縁を保持する枠状の支持部材とを備える椅子の背凭れにおいて、前記枠状支持部材の一部の辺に弾性変形する支持部を備え、該支持部によって膜状部材を支持するようにしていることを特徴とする椅子の背凭れ。
【請求項２】
前記支持部は、前記枠状支持部材の前記一部の辺を挟む２つの保持辺の間で形状が整えられた前記膜状部材の曲面または屈曲面部分を支えるものである請求項１記載の椅子の背凭れ。
【請求項３】
前記一部の辺は前記枠状支持部材の着座者の身体が交わる位置にある辺であると共に、前記支持面から離れたものであることを特徴とする請求項１または２記載の椅子の背凭れ。
【請求項４】
前記支持部は舌片状を成し、自由端側に向かって剛性が小さくなって可撓性を維持することを特徴とする請求項１から３のいずれか１つに記載の椅子の背凭れ。
【請求項５】
前記支持部はその両端が前記枠状支持部材に連結されているものであることを特徴とする請求項１から３のいずれか１つに記載の椅子の背凭れ。
【請求項６】
前記一部の辺は前記枠状支持部材の上端あるいは下端のいずれか一方若しくは双方の横辺であると共に当該横辺の中央に前記支持部が形成され、前記膜状部材ともども着座者の背中あるいは腰部を弾力的に支持するものである請求項１から５のいずれか１つに記載の椅子の背凭れ。
【請求項７】
前記支持部は前記枠状支持部材よりも薄く可撓性を有することを特徴とする請求項１から６のいずれか１つに記載の椅子の背凭れ。
【請求項８】
前記支持部の基端部の裏側にリブが設けられていることを特徴とする請求項１から７のいずれか１つに記載の椅子の背凭れ。
【請求項９】
前記枠状支持部材と前記支持部とは合成樹脂で一体成形されていることを特徴とする請求項１から７のいずれか１つに記載の椅子の背凭れ。
【手続補正２】
【補正対象書類名】明細書
【補正対象項目名】００１０
【補正方法】変更
【補正の内容】
【００１０】
かかる目的を達成するため、請求項１記載の発明は、着座者の身体を支える支持面を構成するメッシュあるいはフィルム若しくは布地等の膜状部材と膜状部材の周縁を保持する枠状の支持部材とを備える椅子の背凭れにおいて、枠状支持部材の一部の辺に弾性変形する支持部を備え、該支持部によって膜状部材を支持するようにしている。
これにより、周縁が枠状の支持部材により保持される膜状部材の着座者の身体を支える支持面が支持部によっても弾力的に支持され、着座者の体重が膜状部材と支持部とに分担される。
しかも、支持部の形状や厚さ、若しくは位置等を変更することにより膜状部材の張力を変化させることができるので、張力の異なる複数種類の構造物を容易に提供することができる。
【手続補正３】
【補正対象書類名】明細書
【補正対象項目名】００１１
【補正方法】変更
【補正の内容】
【００１１】
また、請求項２記載の発明は、請求項１記載の椅子の背凭れにおいて、支持部が、枠状支持部材の一部の辺を挟む２つの保持辺の間で形状が整えられた膜状部材の曲面または屈曲面部分を支えるものである。
したがって、枠状支持部材の一部の辺の近くの膜状部材の曲面または屈曲面部分は両側の保持辺と支持部とにより短いスパンで支持されるため、膜状部材の張りの弾力性を失わずに着座者の身体を支持することができる。このため、着座者が構造物に体重を掛けたときには、その体重が膜状部材の曲面または屈曲面部分で弾力的に支持されると共に、場合によっては支持部によって直接支持されるようになる。これにより、着座者の身体が支持部材の端部付近で良好なクッション性で支持されながら枠状支持部材の一部の辺に当たって圧迫されることが防止されると共に膜状部材の曲面または屈曲面部分の形を保つことができる。
【手続補正４】
【補正対象書類名】明細書
【補正対象項目名】００１３
【補正方法】変更
【補正の内容】
【００１３】
また、請求項３記載の発明は、請求項１または２記載の椅子の背凭れにおいて、一部の辺が枠状支持部材の着座者の身体が交わる位置にある辺であると共に、支持面から離れたものとされている。
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】変更
【補正の内容】
【００１６】
さらに、請求項４記載の発明は、請求項１から３のいずれか１つに記載の椅子の背凭れにおいて、支持部は舌片状を成し、自由端側に向かって剛性が小さくなって可撓性を維持するように形成されている。この場合、支持部は着座者の体重により弾性変形するように成る。このため、着座者の体重により支持面の端部である例えば垂れ部及びその付近の膜状部材が凹む際に、支持部が撓んで膜状部材を支えたり、あるいは支持部が体重を直接支えるようになる。これにより、着座者に良好なクッション感を与えて、尚かつ支持部の周囲で膜状部材に段差を形成せずに緩やかに変形するので、構造物の全体で均一なクッション性を有するようになって身体を局部的に圧迫せずに支持できるようになる。
【手続補正７】
【補正対象書類名】明細書
【補正対象項目名】００１７
【補正方法】変更
【補正の内容】
【００１７】
また、請求項７記載の発明は、請求項１から６までのいずれか１つに記載の椅子の背凭れにおいて、支持部は枠状支持部材よりも薄く可撓性を有するようにしている。したがって、支持部は着座者の体重により弾性変形するように成るので、着座者が着座したときに体重により支持部が撓んで膜状部材を支えたり、あるいは支持部が体重を直接支えることにより、構造物の全体で均一なクッション性を有するようになって身体を局部的に圧迫せずに支持できるようになる。
【手続補正８】
【補正対象書類名】明細書
【補正対象項目名】００１８
【補正方法】変更
【補正の内容】
【００１８】
そして、請求項８記載の発明は、請求項１から７までのいずれか１つに記載の椅子の背凭れにおいて、支持部の基端部の裏側にリブが設けられているようにしている。したがって、応力の集中し易い支持部の基端部を補強して支持部の破損を防止することができる。しかも、支持部の先端部にはリブが形成されていないので支持部の先端ほど剛性が小さくなって、支持部の可撓性を維持することができる。
【手続補正９】
【補正対象書類名】明細書
【補正対象項目名】００１９
【補正方法】変更
【補正の内容】
【００１９】
一方、請求項９記載の発明は、請求項１から８までのいずれか１つに記載の椅子の背凭れにおいて、枠状支持部材と支持部とが合成樹脂で一体成形されるようにしている。この場合、枠状支持部材と支持部とが射出成形等により一度に成形されるため、椅子の背凭れ構造物の製造が容易になる。
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】削除
【補正の内容】
【手続補正１６】
【補正対象書類名】明細書
【補正対象項目名】００２６
【補正方法】削除
【補正の内容】
【手続補正１７】
【補正対象書類名】明細書
【補正対象項目名】００２７
【補正方法】削除
【補正の内容】
【手続補正１８】
【補正対象書類名】明細書
【補正対象項目名】００２８
【補正方法】削除
【補正の内容】
【手続補正１９】
【補正対象書類名】明細書
【補正対象項目名】００２９
【補正方法】削除
【補正の内容】
【手続補正２０】
【補正対象書類名】明細書
【補正対象項目名】００３０
【補正方法】削除
【補正の内容】
【手続補正２１】
【補正対象書類名】明細書
【補正対象項目名】００３１
【補正方法】変更
【補正の内容】
【００３１】
さらに、請求項６記載の発明は、請求項１から５までのいずれか１つに記載の椅子の背凭れにおいて、一部の辺は枠状支持部材の上端あるいは下端のいずれか一方若しくは双方の横辺であると共に当該横辺の中央に支持部が形成され、膜状部材ともども着座者の背中あるいは腰部を弾力的に支持するものである。
【手続補正２２】
【補正対象書類名】明細書
【補正対象項目名】００３３
【補正方法】変更
【補正の内容】
【００３３】
そして、請求項５記載の発明は、請求項１から３までのいずれか１つに記載の椅子の背凭れにおいて、支持部は枠状支持部材の上下の横辺同士を連結するものであるようにしている。この場合、背凭れの上下の横端にそれぞれ形成された支持部同士が連結されているので、背凭れの縦方向の全体に亘って背中や腰部がしっかり支えられると共に膜状部材の曲面または屈曲面部分の形が維持される。
【手続補正２３】
【補正対象書類名】明細書
【補正対象項目名】００３４
【補正方法】変更
【補正の内容】
【００３４】
以上の説明から明らかなように、請求項１記載の椅子の背凭れによれば、枠状支持部材の一部の辺に弾性変形する舌片から成る支持部を備え、該支持部によって膜状部材を支持するようにしているので、周縁が枠状の支持部材により保持される膜状部材の着座者の身体を支える支持面が支持部によっても弾力的に支持され、着座者の体重が膜状部材と支持部とに分担される。
また、支持部の形状や厚さ、若しくは位置等を変更することにより膜状部材の張力を変化させることができるので、張力の異なる複数種類の構造物を容易に提供することができる。
【手続補正２４】
【補正対象書類名】明細書
【補正対象項目名】００３５
【補正方法】変更
【補正の内容】
【００３５】
また、請求項２記載の椅子の背凭れによれば、膜状部材の曲面または屈曲面部分は両側の保持辺と支持部とにより短いスパンで支持されるため、膜状部材の張りの弾力性を失わずに着座者の身体を一部の辺から離れた位置で支持することができる。これにより、着座者の身体が支持部材の端部付近で枠状支持部材の一部の辺に当たって圧迫されることを防いで膜状部材のみで優しく支えることができ、座り心地を良好にすることができる。さらに、曲面または屈曲面部分の膜状部材の形を目的とする形状に保つことができるので、構造物としての外観を良くすることができる。
【手続補正２５】
【補正対象書類名】明細書
【補正対象項目名】００３８
【補正方法】変更
【補正の内容】
【００３８】
そして、請求項３記載の椅子の背凭れによれば、枠状支持部材の着座者の身体と交わる位置にある一部の辺の近くの垂れ部即ち膜状部材の曲面または屈曲面部分は両側の保持辺と支持部とにより短いスパンで支持されるため、膜状部材の張りの弾力性を失わずに着座者の身体を一部の辺から離れた位置で支持することができる。これにより、着座者の身体が支持部材の端部付近で枠状支持部材の一部の辺に当たって圧迫されることを防止できる。さらに、垂れ部・端部付近の膜状部材の形を目的とする形状に保つことができる。
【手続補正２６】
【補正対象書類名】明細書
【補正対象項目名】００３９
【補正方法】削除
【補正の内容】
【手続補正２７】
【補正対象書類名】明細書
【補正対象項目名】００４０
【補正方法】変更
【補正の内容】
【００４０】
さらに、請求項４記載の椅子の背凭れによれば、着座者の体重により支持面の端部である例えば垂れ部及びその付近の膜状部材が凹む際に、支持部が撓んで膜状部材を支えることにより、支持部の周囲で膜状部材に段差を形成せずに緩やかに変形するため、着座者に良好なクッション感を与えて身体を圧迫せずに支持できると共に外観も段差のない美しいものとできる。
【手続補正２８】
【補正対象書類名】明細書
【補正対象項目名】００４１
【補正方法】変更
【補正の内容】
【００４１】
また、請求項７記載の椅子の背凭れによれば、支持部は着座者の体重により弾性変形するように成るので、着座者が着座したときに体重により支持部が撓んで膜状部材を支えたり、あるいは支持部が体重を直接支えることにより、構造物の全体で均一なクッション性を有するようになって身体を局部的に圧迫せずに支持できるようになる。
【手続補正２９】
【補正対象書類名】明細書
【補正対象項目名】００４２
【補正方法】変更
【補正の内容】
【００４２】
そして、請求項８記載の椅子の背凭れによれば、応力の集中し易い支持部の基端部を補強して支持部の破損を防止することができる。しかも、支持部の先端部にはリブが形成されていないので支持部の先端ほど剛性が小さくなって、支持部の可撓性を維持することができる。
【手続補正３０】
【補正対象書類名】明細書
【補正対象項目名】００４３
【補正方法】変更
【補正の内容】
【００４３】
一方、請求項９記載の椅子の背凭れによれば、枠状支持部材と支持部とが射出成形等により一度に成形されるため、座あるいは背凭れ等の椅子の構造物の製造を容易にすることができる。
【手続補正３１】
【補正対象書類名】明細書
【補正対象項目名】００４４
【補正方法】削除
【補正の内容】
【手続補正３２】
【補正対象書類名】明細書
【補正対象項目名】００４５
【補正方法】削除
【補正の内容】
【手続補正３３】
【補正対象書類名】明細書
【補正対象項目名】００４６
【補正方法】削除
【補正の内容】
【手続補正３４】
【補正対象書類名】明細書
【補正対象項目名】００４７
【補正方法】削除
【補正の内容】
【手続補正３５】
【補正対象書類名】明細書
【補正対象項目名】００４８
【補正方法】削除
【補正の内容】
【手続補正３６】
【補正対象書類名】明細書
【補正対象項目名】００４９
【補正方法】削除
【補正の内容】
【手続補正３７】
【補正対象書類名】明細書
【補正対象項目名】００５０
【補正方法】削除
【補正の内容】
【手続補正３８】
【補正対象書類名】明細書
【補正対象項目名】００５１
【補正方法】変更
【補正の内容】
【００５１】
また、請求項６記載の椅子の背凭れによれば、背凭れの上端あるいは下端の垂れ部が支持部により弾性的に支持されて補強されるので、背中や腰部をしっかり支えて凭れ心地が良いと共に垂れ部の形を維持することができる。
【手続補正３９】
【補正対象書類名】明細書
【補正対象項目名】００５２
【補正方法】変更
【補正の内容】
【００５２】
そして、請求項５記載の椅子の背凭れによれば、背凭れの上下の横辺にそれぞれ形成された支持部同士が連結されているので、背凭れの縦方向の全体に亘って背中や腰部がしっかり支えられると共に膜状部材の曲面または屈曲面部分の形を維持することができる。
【手続補正４０】
【補正対象書類名】明細書
【補正対象項目名】００５３
【補正方法】変更
【補正の内容】
【００５３】
【図１】本発明の座あるいは背凭れ等の椅子の構造物を座に適用した実施形態を示す分解組立図である。
【図２】座の支持枠を示す斜視図である。
【図３】図１のＩＩＩ−ＩＩＩ線で切断した状態を示す座の中央縦断面側面図である。
【図４】座の支持枠を示す正面図である。
【図５】支持片を示す側面図である。
【図６】支持片を示す背面図である。
【図７】支持片の他の実施形態を示す座の斜視図である。
【図８】支持片の更に他の実施形態を示す座の斜視図である。
【図９】支持枠の別の実施形態を示す斜視図である。
【図１０】図９のＸ−Ｘ線で切断した状態を示す断面図である。
【図１１】本発明の座あるいは背凭れ等の椅子の構造物を背凭れに適用した実施形態を示す分解組立図である。
【図１２】図１１のＸＩＩ−ＸＩＩ線で切断した状態を示す背凭れの中央縦断面側面図である。
【図１３】他の実施形態の背凭れの支持枠を示す斜視図である。
【図１４】別の実施形態の背凭れの支持枠を示す斜視図である。
【図１５】従来の座を示す斜視図である。
【図１６】図１５中のＸＶＩ−ＸＶＩ線で切断した状態を示す座の中央縦断面側面図である。
【手続補正４１】
【補正対象書類名】明細書
【補正対象項目名】００９２
【補正方法】削除
【補正の内容】
【手続補正４２】
【補正対象書類名】図面
【補正対象項目名】図１４
【補正方法】変更
【補正の内容】
【図１４】
2009233403.tif 000001
【手続補正４３】
【補正対象書類名】図面
【補正対象項目名】図１５
【補正方法】変更
【補正の内容】
【図１５】
2009233403.tif 000002
【手続補正４４】
【補正対象書類名】図面
【補正対象項目名】図１６
【補正方法】変更
【補正の内容】
【図１６】
2009233403.tif 000003
【手続補正４５】
【補正対象書類名】図面
【補正対象項目名】図１７
【補正方法】削除
【補正の内容】